(57)【要約】【課題】容易に設置および撤去できる椅子を提供する。【解決手段】床面１１に支持された脚部２と、脚部２に支持されて使用者が着座可能な着座部３と、を有する椅子１において、着座部３は、複数の第１ピース部材（ピース部材）４，４…および複数の第２ピース部材（ピース部材）５，５…を有し、複数の第１ピース部材４，４…および複数の第２ピース部材５，５…は、幅方向（一の水平方向）に配列された状態で脚部２に支持されている。【選択図】図１
2017093629.tif 000002
【特許請求の範囲】
【請求項１】
床面に支持された脚部と、
該脚部に支持されて使用者が着座可能な着座部と、を有する椅子において、
前記着座部は、複数のピース部材を有し、
該複数のピース部材は、一の水平方向に配列された状態で前記脚部に支持されていることを特徴とする椅子。
【請求項２】
前記複数のピース部材は、座部のみを形成する第１ピース部材と、座部および背もたれ部を形成する第２ピース部材と、を有し、
前記第１ピース部材と前記第２ピース部材とが前記一の水平方向に交互に配列されていることを特徴とする請求項１に記載の椅子。
【請求項３】
前記脚部は、前記第１ピース部材を前記一の水平方向に延びる軸線回りに回動可能に支持するとともに、前記第２ピース部材を前記軸線回りに回動しないように支持していて、
前記第１ピース部材は、前記使用者が着座可能な状態の第１姿勢において前記一の水平方向に直交する他の水平方向の一方側の端部が前記第２ピース部材よりも前記他の水平方向の一方側に配置されていて、前記第１姿勢から前記軸線回りに回動し跳ね上がった状態の第２姿勢において、前記他の水平方向の一方側の端部が前記第２ピース部材よりも前記他の水平方向の他方側に配置されることを特徴とする請求項２に記載の椅子。
【請求項４】
前記脚部に支持されて前記使用者が肘を掛けることが可能な肘掛部を有し、
該肘掛部は、前記複数のピース部材と前記一の方向に配列された状態で前記脚部に支持されていることを特徴とする請求項１乃至３のいずれか一項に記載の椅子。
【請求項５】
前記ピース部材は、前記一の水平方向に積層された段ボールからなることを特徴とする請求項１乃至４のいずれか一項に記載の椅子。
【発明の詳細な説明】
【技術分野】
【０００１】
本発明は、競技場や劇場などに設置される観客用の椅子に関する。
【背景技術】
【０００２】
従来、競技場や劇場などの観覧スペースには、複数の人が横方向に並んで観覧できるように、横方向に連結された椅子や横長のベンチが観客席として設置されている（例えば、特許文献１および２参照）。
【先行技術文献】
【特許文献】
【０００３】
【特許文献１】特開平１０−２１１０５３号公報
【特許文献２】特開２０１０−８８７８７号公報
【発明の概要】
【発明が解決しようとする課題】
【０００４】
ところで、観客席が例えば期間限定で設置される仮設の場合、容易に設置および撤去できることが望まれている。
【０００５】
そこで、本発明は、容易に設置および撤去できる椅子を提供することを目的とする。
【課題を解決するための手段】
【０００６】
上記目的を達成するため、本発明に係る椅子は、床面に支持された脚部と、該脚部に支持されて使用者が着座可能な着座部と、を有する椅子において、前記着座部は、複数のピース部材を有し、該複数のピース部材は、一の水平方向に配列された状態で前記脚部に支持されていることを特徴とする。
【０００７】
本発明では、複数のピース部材が一の水平方向に配列された状態で脚部に支持された簡便な構造であるため、椅子を容易に設置することができるとともに、設置された椅子を容易に撤去することができる。
また、配列するピース部材の数を調整することで、１人が着座可能な椅子としたり、一の水平方向に並んで複数の人が着座可能な椅子としたりすることができる。
【０００８】
また、本発明に係る椅子では、前記複数のピース部材は、座部のみを形成する第１ピース部材と、座部および背もたれ部を形成する第２ピース部材と、を有し、前記第１ピース部材と前記第２ピース部材とが前記一の水平方向に交互に配列されている構成としてもよい。
このような構成とすることにより、背もたれのある椅子を容易に設置することができるとともに、設置された椅子を容易に撤去することができる。また、複数の第１ピース部材および複数の第２ピース部材がそれぞれ座部形成することにより、座部の強度を確保することができる。
【０００９】
また、本発明に係る椅子では、前記脚部は、前記第１ピース部材を前記一の水平方向に延びる軸線回りに回動可能に支持するとともに、前記第２ピース部材を前記軸線回りに回動しないように支持していて、前記第１ピース部材は、前記使用者が着座可能な状態の第１姿勢において前記一の水平方向に直交する他の水平方向の一方側の端部が前記第２ピース部材よりも前記他の水平方向の一方側に配置されていて、前記第１姿勢から前記軸線回りに回動し跳ね上がった状態の第２姿勢において、前記他の水平方向の一方側の端部が前記第２ピース部材よりも前記他の水平方向の他方側に配置される構成としてもよい。
このような構成とすることにより、第１姿勢の第１ピース部材が回動して跳ね上がり第２姿勢となると、第１ピース部材が第１姿勢であった場合と比べて、椅子の他の水平方向の一方側の空間を広く確保することができるため、この空間を避難通路として使用することができる。
また、第２ピース部材は、一の水平方向に延びる軸線回りに回動しないことにより、第２ピース部材の背もたれ部が回動して横臥状態となり避難通路側に飛び出ることがないため、避難通路を確実に確保することができる。
【００１０】
また、本発明に係る椅子では、前記脚部に支持されて前記使用者が肘を掛けることが可能な肘掛部を有し、該肘掛部は、前記複数のピース部材と前記一の方向に配列された状態で前記脚部に支持されている構成としてもよい。
このような構成とすることにより、肘掛のある椅子を容易に設置することができるとともに、設置された椅子を容易に撤去することができる。
【００１１】
また、本発明に係る椅子では、前記ピース部材は、前記一の水平方向に積層された段ボールからなる構成としてもよい。
このような構成とすることにより、ピース部材を所定の強度に形成することができるとともに、椅子を撤去した後にピース部材をリサイクルすることができる。また、ピース部材の加工や運搬を容易に行うことができる。
【発明の効果】
【００１２】
本発明によれば、椅子を容易に設置および撤去することができて、椅子の設置や撤去に係る時間を短縮できるとともに、椅子の設置や撤去に係る費用を削減することができる。
【図面の簡単な説明】
【００１３】
【図１】本発明の実施形態による椅子の一例を示す図である。
【図２】第１ピース部材を幅方向から見た図である。
【図３】第２ピース部材を幅方向から見た図である。
【図４】第１姿勢の第１ピース部材と第２ピース部材の様子を説明する図である。
【図５】第２姿勢の第１ピース部材と第２ピース部材の様子を説明する図である。
【図６】本発明の実施形態の変形例による椅子の一例を示す図である。
【発明を実施するための形態】
【００１４】
以下、本発明の実施形態による椅子について、図１乃至図５に基づいて説明する。
図１に示すように、本実施形態による椅子１は、例えば、競技場や劇場などの仮設観客席として使用されるもので、複数の使用者が横に並んで着座できるベンチを構成している。着座する使用者が並ぶ横の方向を幅方向（一の水平方向）とし、幅方向に直交する水平方向を前後方向（他の水平方向）とする。前後方向のうち、着座した使用者の前となる側を前側、後となる側を後側とする。
椅子１が設置される床面１１は、前後方向の前側から後側に向かって漸次高くなる階段状に形成されている。この階段状の床面１１の各段それぞれに椅子１が設置されている。前後に配列された椅子１の間には、使用者の通路となるスペースが形成されている。
椅子１は、床面１１に支持された脚部２と、脚部２に支持された着座部３と、を有している。
【００１５】
脚部２は、幅方向に延在する一対のパイプ２１，２２と、床面１１に固定されて一対のパイプ２１，２２を所定の高さに支持する一対の支持部２３，２３と、を有している。
一対の支持部２３，２３は、幅方向に間隔をあけて配置されていて、一方の支持部２３が椅子１の幅方向一方側の端部近傍に配置され、他方の支持部２３が椅子１の幅方向他方側の端部近傍に配置されている。
【００１６】
一対のパイプ２１，２２は、前後方向に間隔をあけて配置されていて、延在方向の両端部がそれぞれ支持部２３，２３に固定されている。一対のパイプ２１，２２のうち、後側に配置されているパイプ２１を第１パイプ２１とし、前側に配置されているパイプを第２パイプ２２とする。第１パイプ２１と第２パイプ２２とは、一対の支持部２３，２３に略同じ高さに支持されている。
本実施形態では、一対の支持部２３，２３は、互いに幅方向に１０００ｍｍ程離間した位置に配置されていて、第１パイプ２１および第２パイプ２２は、それぞれ一対の支持部２３，２３に架設されて固定されている。
【００１７】
着座部３は、複数の第１ピース部材（ピース部材）４，４…と、複数の第２ピース部材（ピース部材）５，５…と、幅方向に延在する棒状に形成され複数の第１ピース部材４，４…を連結する第１連結部材６と、幅方向に延在する棒状に形成され複数の第２ピース部材５，５…を連結する第２連結部材７と、を有している。複数の第１ピース部材４，４…と、複数の第２ピース部材５，５…と、は、幅方向に１つずつ交互に配列されている。
なお、本実施形態では、１つの椅子１に、５つの第１ピース部材４，４…と４つの第２ピース部材５，５…とが、配列（幅方向の）の両端部にそれぞれ第１ピース部材４が配置されるように幅方向に１つずつ交互に配列されたユニット８が、幅方向に２つ配列されていて、１つのユニットに１人ずつ着座するように想定されている。
【００１８】
図１および図２に示すように複数の第１ピース部材４，４…は、それぞれ板面が長尺形状の段ボールが積層された構造で、段ボールの面が幅方向を向くように配置されている。複数の第１ピース部材４，４…は、それぞれ積層された段ボールの長手方向が前後方向となる第１姿勢（図２および図４参照）と、前側が後側よりも高い斜め方向となる第２姿勢（図５参照）と、に切り替え可能に構成されている。複数の第１ピース部材４，４…は、それぞれが第１姿勢となると上面に使用者が着座可能となる座部を構成している。複数の第１ピース部材４，４…は、使用者が着座可能な強度を有している。
【００１９】
複数の第１ピース部材４，４…には、それぞれ第１姿勢における後部側に幅方向に貫通し第１パイプ２１（図１参照）が挿通される第１パイプ挿通孔部４１が形成され、前部側に幅方向に貫通するとともに下側に開口され第２パイプ２２（図１参照）が嵌合可能な第２パイプ嵌合切欠き部４２が形成されている。
複数の第１ピース部材４，４…は、それぞれ第１パイプ挿通孔部４１に第１パイプ２１が挿通された状態で、第１パイプ２１の軸線２１１回りに回動可能に構成されている。複数の第１ピース部材４，４…は、それぞれ第１パイプ２１の軸線２１１回りに回動して第１姿勢となると、第２パイプ嵌合切欠き部４２が第２パイプ２２に上側から嵌合し、第２姿勢となると、第２パイプ嵌合切欠き部４２が第２パイプ２２から離間する。
【００２０】
複数の第１ピース部材４，４…には、それぞれ第１姿勢における第２パイプ嵌合切欠き部４２よりも前側に第１連結部材６（図１参照）が挿通される第２連結部材挿通孔部４３が形成されている。
第１連結部材６は、幅方向に延在するパイプで構成されていて、複数の第１ピース部材４，４…それぞれに挿通され、複数の第１ピース部材４，４…を連結している。本実施形態では、１つの第１連結部材６は、それぞれ１つのユニット８（図１参照）の５つの第１ピース部材４，４…に対して挿通可能な長さに形成されている。
【００２１】
第１連結部材６は、複数の第１ピース部材４，４…とともに第１パイプ２１の軸線２１１回りに回動可能で、この軸線２１１回りに回動した際に複数の第２ピース部材５，５…、第１パイプ２１、および第２パイプ２２と干渉しない位置に形成されている。なお、複数の第１ピース部材４，４…を第１パイプ２１の軸線２１１回りに回動させる際に、使用者が第１連結部材６を把持して上側に引き上げたり、引き下げたりすることで、１つのユニット８に配置された複数の第１ピース部材４，４…を第１姿勢または第２姿勢に一度に切り替えることができる。
【００２２】
図１および図３に示すように、複数の第２ピース部材５，５…は、それぞれ板面が略Ｌ字型状の段ボールが積層された構造で、段ボールの面が幅方向を向くように配置されている。複数の第２ピース部材５，５…は、それぞれ第１パイプ２１（図１参照）および第２パイプ２２（図１参照）に固定されていて、回動しないように構成されている。
複数の第２ピース部材５，５…は、それぞれ略Ｌ字型の屈曲部よりも一方側が座部５１を構成し、他方側が背もたれ部５２を構成している。座部５１は、前後方向に延びる長尺形状に形成されている。背もたれ部５２は、前側から後側に向かって漸次上側に向かう斜め方向に延びる長尺形状に形成されている。座部５１は、使用者が着座可能な強度を有していて、背もたれ部５２は、使用者が寄りかかることができる強度を有している。
【００２３】
座部５１には、後部側に幅方向に貫通し第１パイプ２１が挿通される第１パイプ挿通孔部５３（図３参照）が形成され、前部側に幅方向に貫通し第２パイプ２２が挿通される第２パイプ挿通孔部５４（図３参照）が形成されている。
複数の第２ピース部材５，５…は、それぞれ座部５１の第１パイプ挿通孔部５３に第１パイプ２１が挿通され、第２パイプ挿通孔部５４に第２パイプ２２が挿通されて脚部２に支持されている。なお、複数の第２ピース部材５，５…は、それぞれ第１パイプ２１および第２パイプ２２が挿通されることで、回動しないように拘束されている。
【００２４】
背もたれ部５２には、後部側に幅方向に貫通し後側に開口され第２連結部材７（図１参照）が嵌合する第３連結部材嵌合切欠き部５５が形成されている。
第２連結部材７は、幅方向に延びる帯状の段ボールが積層された構造で、段ボールの面が上下方向を向くように配置されている。第２連結部材７は、複数の第２ピース部材５，５…それぞれの背もたれ部５２の第３連結部材嵌合切欠き部５５に後側から嵌合されている。本実施形態では、１つの第２連結部材７は、それぞれ１つの椅子１が有する２つのユニット８に配置された８つの第２ピース部材５，５…の背もたれ部５２に対して嵌合可能な長さに形成されている。
【００２５】
このような椅子１は、図４に示すように、第１ピース部材４が第１姿勢となると、その前端部４ａが第２ピース部材５の前端部５ａよりも前側に配置される。また、第１ピース部材４に挿通された第１連結部材６も複数の第２ピース部材５，５…の前端部よりも前側に配置される。これに対し、図５に示すように、第１ピース部材４が第１パイプ２１の軸線２１１回りに回動して第２姿勢となると、第１姿勢における前端部４ａが上側かつ後側に移動するため、第２姿勢における前端部４ｂは第２ピース部材５の前端部よりも後側に配置される。これにより、椅子１の前側のスペースは、第１ピース部材４が第１姿勢の場合と比べて、第２姿勢の場合の方が広くなる。
【００２６】
次に、上述した椅子の作用・効果について図面を用いて説明する。
上述した本実施形態による椅子１では、複数の第１ピース部材４，４…と複数の第２ピース部材５，５…とが交互に配列されて、脚部２に支持された簡便な構造であるため、椅子１を容易に設置することができるとともに、設置された椅子１を容易に撤去することができる。
また、配列する第１ピース部材４および第２ピース部材５の数を調整することで、１人が着座可能な椅子としたり、一の水平方向に並んで複数の人が着座可能な椅子としたりすることができる。
【００２７】
本実施形態では、複数の第１ピース部材４，４…と複数の第２ピース部材５，５…とが幅方向に交互に配列されていて、複数の第１ピース部材４，４…は、それぞれ第１パイプ２１の軸線２１１回りに回動可能に構成されている。そして、複数の第１ピース部材４，４…がそれぞれ第１パイプ２１の軸線２１１回りに回動して跳ね上がった状態の第２姿勢となると、第２姿勢における前端部は複数の第２ピース部材５，５…の前端部よりも後側に配置されて、椅子１の前側のスペースは、複数の第１ピース部材４，４…が第１姿勢の場合と比べて、第２姿勢の場合の方が広くなる。このため、複数の第１ピース部材４，４…を第２姿勢とすることで、椅子１の前側のスペースを広く確保することができ、このスペースを避難通路として使用することができる。
なお、複数の第２ピース部材５，５…は、第１パイプ２１の軸線２１１回りに回動しないことにより、背もたれ部が回動して横臥状態となり避難通路側に飛び出ることがないため、避難通路を確実に確保することができる。
【００２８】
複数の第１ピース部材４，４…および複数の第２ピース部材５，５…は、それぞれ幅方向に積層された段ボールからなることにより、第１ピース部材４および複数の第２ピース部材５，５…を所定の強度に形成することができるとともに、椅子１を撤去した後に複数の第１ピース部材４，４…および複数の第２ピース部材５，５…をリサイクルすることができる。また、複数の第１ピース部材４，４…および複数の第２ピース部材５，５…の加工や運搬を容易に行うことができる。
【００２９】
以上、本発明による椅子１の実施形態について説明したが、本発明は上記の実施形態に限定されるものではなく、その趣旨を逸脱しない範囲で適宜変更可能である。
例えば、上記の実施形態では、着座部３には複数の第１ピース部材４，４…と複数の第２ピース部材５，５…とが１つずつ交互に配列された形態であるが、複数の第１ピース部材４，４…のみが配列された形態や、図６に示す椅子１Ａの着座部３Ａのように、複数の第１ピース部材４，４…のみが配列された形態としてもよい。また、複数の第１ピース部材４，４…および複数の第２ピース部材５，５…の形状や、配列される間隔は適宜設定されてよい。
【００３０】
また、上記の実施形態では、複数の第１ピース部材４，４…は、第１パイプ２１の軸線２１１回りに回動可能に構成されているが、回動できないように構成されていてもよい。
また、上記の実施形態では、複数の第１ピース部材４，４…は、使用者が第１連結部材６を把持して移動させることで第１姿勢と第２姿勢とに切り替えられるように構成されているが、複数の第１ピース部材４，４…を第１姿勢と第２姿勢とに切り替える機構は上記以外でもよい。例えば、ばねなどを利用した機構としてもよい。
また、上記の実施形態では、複数の第１ピース部材４，４…および複数の第２ピース部材５，５…は、積層された段ボールで形成されているが、段ボール以外の材料で形成されていてもよい。
【００３１】
また、複数の第１ピース部材４，４…および複数の第２ピース部材５，５…とともに肘掛部などの他の機能を有する部材が配列されて脚部２に支持されていてもよいし、複数の第１ピース部材４，４…および複数の第２ピース部材５，５…の少なくとも一部に肘掛部などの機能を構成する部分が形成されていてもよい。
また、上記の実施形態では、椅子１は、複数の使用者が幅方向に並んで着座できるように構成されているが、使用者が１人ずつ着座するように構成されていてもよい。
【符号の説明】
【００３２】
１  椅子
２  脚部
３  着座部
４  第１ピース部材（ピース部材）
５  第２ピース部材（ピース部材）
６  第１連結部材
７  第２連結部材
１１  床面
２１  第１パイプ
２２  第２パイプ
２１１  軸線
【図１】
2017093629.tif 000003
【図２】
2017093629.tif 000004
【図３】
2017093629.tif 000005
【図４】
2017093629.tif 000006
【図５】
2017093629.tif 000007
【図６】
2017093629.tif 000008